(57)【要約】      （修正有）【課題】施錠および開錠の操作性を低下させることなく、不正な解錠を確実に防止することができるサムターンを提供する。【解決手段】サムターン１０を、錠前の施錠を行う施錠位置と錠前の開錠を行う開錠位置との間を回動可能なサムターンカム３０と、サムターンカムの回動が可能となる操作可能位置、および、サムターンカムの回動が制限される操作制限位置の２つの位置を有する摘み５３と、摘みが操作可能位置にある場合に、摘みの操作によりサムターンカムが開錠位置または施錠位置まで回動されることを許可する施開錠許可位置、および、摘みの操作によりサムターンカムが開錠位置または施錠位置まで回動されることを禁止する施開錠禁止位置の２つの位置を有するレバー５６等から構成した。【選択図】図１
2008045299.tif 000002
【特許請求の範囲】
【請求項１】
錠前の施錠を行う施錠位置と前記錠前の開錠を行う開錠位置との間を回動可能なサムターンカムと、
前記サムターンカムの回動が可能となる操作可能位置、および、前記サムターンカムの回動が制限される操作制限位置の２つの位置を有する摘みと、
前記摘みが前記操作可能位置にある場合に、前記摘みの操作により前記サムターンカムが前記開錠位置または前記施錠位置まで回動されることを許可する施開錠許可位置、および、前記摘みの操作により前記サムターンカムが前記開錠位置または前記施錠位置まで回動されることを禁止する施開錠禁止位置の２つの位置を有するレバーと、を有して構成され、
前記摘みを前記操作制限位置から前記操作可能位置とし、前記レバーを前記施開錠禁止位置から前記施開錠許可位置まで移動させ、前記摘みにより前記サムターンカムを前記施錠位置または前記開錠位置まで回動させて前記錠前の施錠または開錠を行うことを特徴とする、
サムターン。
【請求項２】
前記摘みを前記操作可能位置から前記操作制限位置に付勢する摘み付勢手段と、
前記レバーを前記施開錠許可位置から前記施開錠禁止位置に付勢するレバー付勢手段と、をさらに有することを特徴とする、
請求項１に記載のサムターン。
【請求項３】
前記レバーの少なくとも一部が、前記摘みの把持部に形成された凹部に収容されていることを特徴とする、
請求項１または２に記載のサムターン。
【請求項４】
前記サムターンカムを回動可能な第１のサムターン軸と、
前記レバーが前記施開錠許可位置にある場合には、前記第１のサムターン軸によって前記サムターンカムが前記開錠位置または前記施錠位置まで回動されることを許容し、前記レバーが前記施開錠禁止位置にある場合には、前記第１のサムターン軸によって前記サムターンカムが前記開錠位置または前記施錠位置まで回動されることを禁止する第２のサムターン軸と、をさらに有することを特徴とする、
請求項１〜３のいずれかに記載のサムターン。
【発明の詳細な説明】
【技術分野】
【０００１】
本発明は、不正な解錠を防止することが可能なサムターンに関する。
【背景技術】
【０００２】
従来より、扉の室内側に取り付けられ、摘みを把持して回転させることによって扉の錠前の施錠および開錠を行うサムターンが広く知られているが、近年、扉に設けられた窓、扉の隙間などから工具等を挿入し、サムターンの摘みを回転させて錠前を不正に解錠する、いわゆる「サムターン回し」が問題となっている。
【０００３】
このような従来の問題を解決する一手段として、例えば特許文献１には、摘みの近傍に設けられた一対のボタンが同時に押された場合にだけ摘みの回転を許容し、錠前の施錠および開錠を可能としたサムターンが提案されている。
【特許文献１】特開２００６−１６９９４６号公報
【発明の開示】
【発明が解決しようとする課題】
【０００４】
しかしながら、上記特許文献１に記載のサムターンは、一対のボタンを押しながら摘みを回転させる必要があり、施錠または開錠の操作が煩雑で、操作性が悪いといった問題点があった。
【０００５】
本発明は、このような問題点を解決するためになされたものであって、施錠および開錠の操作性を低下させることなく、不正な解錠を確実に防止することができるサムターンを提供することを目的とする。
【課題を解決するための手段】
【０００６】
本発明は、以下の手段によって、上記課題を解決したものである。
【０００７】
（１）本発明は、錠前の施錠を行う施錠位置と前記錠前の開錠を行う開錠位置との間を回動可能なサムターンカムと、前記サムターンカムの回動が可能となる操作可能位置、および、前記サムターンカムの回動が制限される操作制限位置の２つの位置を有する摘みと、前記摘みが前記操作可能位置にある場合に、前記摘みの操作により前記サムターンカムが前記開錠位置または前記施錠位置まで回動されることを許可する施開錠許可位置、および、前記摘みの操作により前記サムターンカムが前記開錠位置または前記施錠位置まで回動されることを禁止する施開錠禁止位置の２つの位置を有するレバーと、を有して構成され、前記摘みを前記操作制限位置から前記操作可能位置とし、前記レバーを前記施開錠禁止位置から前記施開錠許可位置まで移動させ、前記摘みにより前記サムターンカムを前記施錠位置または前記開錠位置まで回動させて前記錠前の施錠または開錠を行うことを特徴とする、サムターンである。
【０００８】
（２）本発明はまた、前記摘みを前記操作可能位置から前記操作制限位置に付勢する摘み付勢手段と、前記レバーを前記施開錠許可位置から前記施開錠禁止位置に付勢するレバー付勢手段と、をさらに有することを特徴とする、前記（１）に記載のサムターンである。
【０００９】
（３）本発明はまた、前記レバーの少なくとも一部が、前記摘みに形成された凹部に収容されていることを特徴とする、前記（１）または（２）に記載のサムターンである。
【００１０】
（４）本発明はまた、前記サムターンカムを回動可能な第１のサムターン軸と、前記レバーが前記施開錠許可位置にある場合には、前記第１のサムターン軸によって前記サムターンカムが前記開錠位置または前記施錠位置まで回動されることを許容し、前記レバーが前記施開錠禁止位置にある場合には、前記第１のサムターン軸によって前記サムターンカムが前記開錠位置または前記施錠位置まで回動されることを制限する第２のサムターン軸と、をさらに有することを特徴とする、前記（１）〜（３）のいずれかに記載のサムターンである。
【発明の効果】
【００１１】
本発明に係るサムターンによれば、施錠および開錠の操作性を低下させることなく、不正な解錠を確実に防止することができる。
【００１２】
また、摘みを操作可能位置から操作制限位置に付勢する摘み付勢手段と、レバーを施開錠許可位置から施開錠禁止位置に付勢するレバー付勢手段と、をさらに有するサムターンとすれば、錠前の施錠や開錠を行うためには、摘み付勢手段の付勢力に逆らって摘みを操作し、且つ、レバー付勢手段の付勢力に逆らってレバーを操作する必要があり、不正な解錠をより確実に防止することができる。
【００１３】
また、レバーの少なくとも一部が、摘みの把持部に形成された凹部に収容されていれば、摘みを把持しながらレバーを操作することが可能となり、サムターンの操作性を高めることができる上に、レバーの出っ張りを減らすことができ、摘みを把持した際にレバーが邪魔になることがない。
【発明を実施するための最良の形態】
【００１４】
以下、図面を用いて、本発明の実施形態に係るサムターンについて詳細に説明する。
【００１５】
＜全体構成＞
【００１６】
まず、サムターンの全体構成について説明する。
【００１７】
図１は本実施形態に係るサムターンを構成する各部材を分解して示す分解斜視図である。
【００１８】
図１に示されるように、本実施形態に係るサムターン１０は、主として、サムターン座２０と、錠前（図示省略）の施錠を行う施錠位置と錠前の開錠を行う開錠位置との間を回動可能なサムターンカム３０と、このサムターンカム３０を回動させる駆動部４０と、施錠または解錠の操作を行う操作部５０と、によって構成されている。
【００１９】
図２はサムターン１０を扉１２の室内側に取り付けた様子を示す外観斜視図である。
【００２０】
サムターン１０の操作部５０を操作してサムターンカム３０を施錠位置まで回動すると、錠前のデッドボルト１４が扉１０の外側に突出し、扉１０は施錠状態となる。一方、サムターン１０の操作部５０を操作してサムターンカム３０を開錠位置まで回動すると、錠前のデッドボルト１４が扉１０の内側に引っ込んで、扉１０は開錠状態となる。なお、本発明に係る錠前の構造は特に限定されるものではなく、サムターンカム３０の回動によって施錠および開錠が可能な従来公知の錠前を採用することができる。
【００２１】
＜サムターン座＞
【００２２】
次に、サムターン座２０について説明する。
【００２３】
図３（ａ）はサムターン座２０を前方から見た外観斜視図であり、同図（ｂ）はサムターン座２０を後方から見た外観斜視図である。
【００２４】
このサムターン座２０は、円柱形状の内壁２０Ａと、前方から後方に向かって大径となる側面視が台形形状の外壁２０Ｂを有して構成されている。内壁２０Ａの後方開口部には、後方開口部の中心に向かって突出する環状のスプリング受け２０Ｃが形成されている。
【００２５】
＜サムターンカム＞
【００２６】
次に、サムターンカム３０について説明する。
【００２７】
図４は（ａ）はサムターンカム３０の略示平面図であり、同図（ｂ）は同図（ａ）の矢視ｂから見た略示側面図であり、同図（ｃ）は同図（ａ）の矢視ｃから見た略示正面図である。
【００２８】
サムターンカム３０は、環状部３０Ａと、この環状部３０Ａを基端として環状部３０Ａの径方向外側に向かって突出成形されると共に略Ｌ字形状に折り曲げられた２つの操作片３０Ｂによって構成されている。サムターンカム３０の環状部３０Ａには、その内周部に操作片３０Ｂと逆方向に突出された平面視が略Ｖ字形状の凸部３０Ｃが形成されている。サムターンカム３０の操作片３０Ｂは、図示しない錠前の施開錠機構に係合可能に配置され、サムターンカム３０の回動によって錠前の施錠または開錠が行われる。
【００２９】
＜駆動部＞
【００３０】
次に、駆動部４０について説明する。
【００３１】
図１に示されるように、駆動部４０は、主として、サムターン本体４１と、第１サムターン軸４２と、第２サムターン軸４３と、連結カム４４と、カバー４５と、によって構成されている。
【００３２】
＜サムターン本体＞
【００３３】
まず、サムターン本体４１について説明する。
【００３４】
図５（ａ）はサムターン本体４１を前方から見た外観斜視図であり、同図（ｂ）はサムターン本体４１を後方から見た外観斜視図である。また、図６（ａ）はサムターン本体４１をフランジ部側から見た略示正面図であり、同図（ｂ）は同図（ａ）のｂ線に沿う略示側断面図であり、同図（ｃ）は同図（ｂ）におけるｃ線に沿う略示側断面図であり、同図（ｄ）は同図（ｂ）におけるｄ線に沿う略示側断面図である。
【００３５】
サムターン本体４１は、円筒形状の本体部４１Ａと、この本体部４１Ａの一端側に一体成形されたフランジ部４１Ｂによって構成されている。また、本体部４１Ａは、図６（ｂ）に示されるように、さらに、サムターンカム３０が収容される大径部４１Ｃと、この大径部４１Ｃに隣接する第１小径部４１Ｄと、この第１小径部４１Ｄに隣接する第２小径部４１Ｅによって構成されている。
【００３６】
本体部４１Ａの大径部４１Ｃの内径は、サムターンカム３０の外径よりも小さく、また、大径部４１Ｃの軸方向長さは、サムターンカム３０の操作片３０Ｂの長さよりも短い。したがって、サムターンカム３０を大径部４１Ｃの内側空間に収容した場合、サムターンカム３０の操作片３０Ｂの先端は、大径部４１Ｃの開口部から突出した状態となる（例えば、図１８（ｂ）参照）。
【００３７】
本体部４１Ａの第１小径部４１Ｄには、大径部４１Ｃの内径よりも小さな外径を有する円形の開口部４１Ｆが形成されている。この開口部４１Ｆは、後述する第１サムターン軸４２の保持部４２Ａを、サムターン本体４１の前方から後方に突出させて配置するためのものである。
【００３８】
本体部４１Ａの第２小径部４１Ｅには、図６（ｄ）の断面図に示されるように、第２小径部４１Ｅの径方向内側に向かって突出する２つの凸部４１Ｇが対向する位置に形成されていると共に、図６（ｃ）の断面図に示されるように、第２小径部４１Ｅの径方向内側に向かって突出する４つの凸部４１Ｈが周方向４箇所に略等間隔に形成されている。
【００３９】
また、第１小径部４１Ｄおよび第２小径部４１Ｅには、軸方向に貫通する２つの貫通孔４１Ｉと、６つのネジ孔４１Ｊが形成されている。なお、貫通孔４１Ｉには、サムターン本体４１を扉１２などに取り付けるための長寸の取付ネジ４７（図１参照）が挿通され、ネジ孔４１Ｊには、カバー４５をサムターン本体４１に取り付けるための短寸の取付ネジ４６（図１参照）が螺合される。
【００４０】
サムターン本体４１のフランジ部４１Ｂの外径は、サムターン座２０の内径よりも小さく、サムターン本体４１はサムターン座２０の内側空間内に挿入可能である。また、フランジ部４１Ｂの一端側面４１Ｋと、サムターン座２０のスプリング受け２０Ｃとの間には、コイルスプリング６２（図１参照）が配設され、サムターン本体４１は、このコイルスプリング５２によってサムターン座２０から遠ざかる方向に付勢される。
【００４１】
＜第１サムターン軸＞
【００４２】
次に、第１サムターン軸４２について説明する。
【００４３】
図７（ａ）は第１サムターン軸４２を前方から見た外観斜視図であり、同図（ｂ）は第１サムターン軸４２を後方から見た外観斜視図である。また、図８（ａ）は第１サムターン軸２２の略示平面図であり、同図（ｂ）は同図（ａ）のｂ線に沿う略示側断面図である。
【００４４】
第１サムターン軸４２は、サムターンカム３０を保持する保持部４２Ａと、第２サムターン軸４３が嵌合される嵌合部４２Ｂと、によって構成されている。
【００４５】
第１サムターン軸４２の保持部４２Ａの外周面には、その軸方向に、サムターンカム３０の凸部３０Ｃが嵌合される側面視が略Ｖ字形状の凹部４２Ｃが形成されていると共に、径方向に、止め輪６４（図１参照）が嵌め込まれる環状溝部４２Ｄが形成されている。サムターンカム３０の環状部３０Ａは、保持部４２Ａに嵌合されて保持部４２Ａの凹部４２Ｃによって径方向の移動が規制され、且つ、保持部４２Ａの環状溝部４２Ｄに嵌め込まれる止め輪６２によって軸方向の移動が規制される。これにより、サムターンカム３０は第１サムターン軸４２に保持される。
【００４６】
また、第１サムターン軸４２の嵌合部４２Ｂの外周面には、図８（ｂ）に示されるように、その径方向の対向位置に、２つの凸部４２Ｅが突出形成されていると共に、円柱形状のコロ６７（図１参照）が嵌合可能な４つの曲面凹部４２Ｆが形成されている。
【００４７】
＜第２サムターン軸＞
【００４８】
次に、第２サムターン軸４３について説明する。
【００４９】
図９（ａ）は第２サムターン軸４３を前方から見た外観斜視図であり、同図（ｂ）は第２サムターン軸４３を後方から見た外観斜視図である。また、図１０（ａ）は第２サムターン軸４３の略示平面図であり、同図（ｂ）は同図（ａ）のｂ線に沿う略示側断面図であり、同図（ｃ）は同図（ｂ）のｃ線に沿う略示側断面図であり、同図（ｄ）は同図（ｂ）のｄ線に沿う略示側断面図である。
【００５０】
第２サムターン軸４３の後方には、円柱形状の軸部４３Ａと、４つの突出片４３Ｃを有する環状の枠部４３Ｂが形成されている。
【００５１】
第２サムターン軸４３の軸部４３Ａは、第１サムターン軸４２の大径部４２Ｂの内径よりも小さな外径を有し、枠部４３Ｂは、第１サムターン軸４２の大径部４２Ｂの外径よりも大きな内径を有している。したがって、第２サムターン軸４３の軸部４３Ａを、第１サムターン軸４２の大径部４２Ｂの内側空間に挿入した場合、第２サムターン軸４３の枠部４３Ｂは、第１サムターン軸４２の大径部４２Ｂの径方向外側に位置し、また、第２サムターン軸４３の枠部４３Ｂに形成された４つの突出片４３Ｃと、第１サムターン軸４２の大径部４２Ｂに形成された２つの凸部４２Ｅが、第２サムターン軸４３の周方向に並んで配置される（図２１（ａ）参照）。なお、図２１（ａ）に示されるように、第２サムターン軸４３の突出片４３Ｃの間には、コロ６７が転動可能に配置される。
【００５２】
また、第２サムターン軸４３の軸部４３Ａの先端部近傍には、軸部４３Ａを径方向に貫通する貫通孔４３Ｄが形成されている。この貫通孔４３Ｄには、１つのコイルスプリング６６（図１参照）と、このコイルスプリング６６の両端に配置される円柱形状のコロ６８（図１参照）が挿入される（図２１（ａ）参照）。
【００５３】
第２サムターン軸４３の前方には、連結カム４４が係合可能な連結カム係合部４３Ｅが形成されていると共に、その内側には、図１０（ｂ）に示されるように、円柱形状のスプリング受け４３Ｆが形成されている。
【００５４】
＜連結カム＞
【００５５】
次に、連結カム４４について説明する。
【００５６】
図１１（ａ）は連結カム４４を前方から見た外観斜視図であり、同図（ｂ）は連結カム４４を後方から見た外観斜視図である。また、図１２（ａ）は連結カム４４の略示正面図であり、同図（ｂ）は同図（ａ）のｂ線に沿う略示側断面図である。
【００５７】
連結カム４４は、円柱形状のベース部４４Ａと、このベース部４４Ａの前方において径方向外側に突出形成された４つの前方突出片４４Ｂと、ベース部４４Ａの後方において前方突出片４４Ｂよりもさらに径方向外側に突出して形成された２つの後方突出片４４Ｃと、によって構成されている。
【００５８】
連結カム４４のベース部４４Ａの後方には、円柱状の中空部４４Ｄが形成されている。この中空部４４Ｄには、コイルスプリング７０（図１参照）が配設され、コイルスプリング７０の他端側は、第２サムターン軸４３のスプリング受け４３Ｆに配置される。このコイルスプリング７０により、連結カム４４は、第２サムターン軸４３から離反する方向に付勢される。また、ベース部４４Ａの前方端部には、軸方向に凸部４４Ｅが突出形成されている。
【００５９】
連結カム４４の後方突出部４４Ｃは、第２サムターン軸４３の連結カム係合部４３Ｅに係合可能であると共に、第１サムターン軸４２の嵌合部４２の側面凹部と係合可能である。これにより、連結カム４４の後方突出部４４Ｃを第２サムターン軸４３の連結カム係合部４３Ｅに係合させた状態で連結カム４４を回動させることによって、第２サムターン軸４３を回動することが可能であると共に、連結カム４４の後方突出部４４Ｃを第１サムターン軸４２の嵌合部４２の側面凹部に係合させた状態で連結カム４４を回動させることによって、第１サムターン軸４２を回動することが可能である。
【００６０】
＜カバー＞
【００６１】
次に、カバー４５について説明する。
【００６２】
カバー４５は、図１に示されるように、円盤状の部材からなり、中心部には円形の開口部が形成されていると共に、開口部の径方向外側には周方向に略等間隔で複数のネジ孔が形成されている。このカバー４５は、複数の取付ネジ４６、４７によってサムターン本体４１に取り付けられる。
【００６３】
＜操作部＞
【００６４】
次に、操作部５０について説明する。
【００６５】
図１に示されるように、操作部５０は、主として、キャップ５１と、このキャップ５１に固定される本体５２と、この本体５２に回動可能に配設される摘み５３と、この摘み５３の背面に摺動可能に配設されるスライダー５４と、このスライダー５４を覆って摘み５３の背面に配設される摘みカバー５５と、摘み５３の正面側からスライダー５４に固定されるレバーと５６と、によって構成されている。
【００６６】
＜キャップ＞
【００６７】
図１３（ａ）はキャップ５１を前方から見た外観斜視図であり、同図（ｂ）はキャップ５１を後方から見た外観斜視図である。
【００６８】
キャップ５１は、円盤状のベース部５１Ａと、このベース部５１Ａの外縁からベース部５１Ａの厚み方向に延出形成された枠部５１Ｂによって構成されている。
【００６９】
キャップ５１のベース部５１Ａには、その中心に、円形の開口部５１Ｃが形成されていると共に、開口部５１Ｃの周囲には、周方向に略等間隔に４つのネジ孔５１Ｄが形成されている。キャップ５１は、このネジ孔５１Ｄを介して複数の取付ネジ７１（図１参照）によってサムターン本体４１に取り付けられる。また、キャップ５１の枠部５１Ｂの一部には、キャップ５１に収容される摘み５３の形状に合わせて曲面状の凹部５１Ｅが形成されている。
【００７０】
＜本体＞
【００７１】
図１４（ａ）は本体５２を前方から見た外観斜視図であり、同図（ｂ）は本体５２を後方から見た外観斜視図である。
【００７２】
本体５２は、円筒形状のベース部５２Ａと、このベース部５２Ａの一端に一体成形された平面視が半月形状の半月部５２Ｂによって構成されている。本体５２のベース部５２Ａには、軸方向にスライダー５４が挿通可能な矩形状の貫通孔５２Ｃが形成されている。また、本体５２の半月部５２Ｂには、棒状の軸７２（図１参照）を回転可能に支持する軸支持部５２Ｄが突出形成されている。なお、本体５２は、止め輪７０（図１参照）によってキャップ５１に固定される。
【００７３】
＜摘み＞
【００７４】
図１５（ａ）は摘み５３を前方から見た外観斜視図であり、同図（ｂ）は摘み５３を後方から見た外観斜視図である。
【００７５】
摘み５３は、平面視が円形状の円形部５３Ａと、平面視が三角形状の把持部５３Ｂによって構成されている。摘み５３の円形部５３Ａには、本体５２の軸支持部５２Ｄが収容される２つの収容部５３Ｃと、軸７２を挿通可能な挿通孔５３Ｄが形成されている。摘み５３は、軸７２を介して本体５２の軸支持部５２Ｄに取り付けられて本体５２に対して回動可能であると共に、軸７２に取り付けられたトーションスプリング７３（図１参照）によってキャップ５１側に付勢される。摘み５３の把持部５３Ｂには、その正面側に、レバー５６の一部が収容可能なレバー用スペースが形成されていると共に、その背面側にスライダー５４が収容可能なスライダー用スペースが形成されている。また、把持部５３Ｂには、スライダー５４の一部を正面側から臨ませる矩形状の開口部５３Ｅが形成されている。
【００７６】
＜スライダー＞
【００７７】
図１６（ａ）はスライダー５４を前方から見た外観斜視図であり、同図（ｂ）はスライダー５４を後方から見た外観斜視図である。
【００７８】
スライダー５４は、棒状の部材からなり、軸７２との接触を回避するための逃げ部５４Ａと、短手方向両側に突出成形されたスプリング受け５４Ｂと、レバー５６を取り付けるためのレバー取付孔５４Ｃを有して構成されている。スライダー５４は、摘み５３の背面のスライダー用スペースに収容され、摘み５３の背面に取付ネジ７５によって取り付けられる摘みカバー５５によって覆われる。また、摘み５３とスライダー５４との間には、２つのコイルスプリング７４（図１参照）が配設され、スライダー５４はこのコイルスプリング７４によって摘み５３の把持部５３Ｂの頂点方向（連結カム４４から遠ざかる方向）に付勢される。
【００７９】
＜レバー＞
【００８０】
図１７（ａ）はレバー５６を前方から見た外観斜視図であり、同図（ｂ）はレバー５６を後方から見た外観斜視図である。
【００８１】
レバー５６は、摘み５３の正面に形成されたレバー用スペースに収容される。また、レバー５６には、その背面に突出部５６Ａが形成され、この突出部５６Ａがスライダー５４のレバー取付孔５４Ｃに嵌合されてレバー５６がスライダー５４に固定される。
【００８２】
次に、図１８〜図２２を用いて、サムターン１０の作用について詳細に説明する。
【００８３】
例えば、サムターン１０を用いて錠前の開錠を行う場合、まず、トーションスプリング７３によって図１８（ａ）〜（ｃ）に示される「操作制限位置」に保持されている摘み５３を、図１９（ａ）〜（ｃ）に示される「操作可能位置」まで持ち上げる（第１の操作）。なお、摘み５３が操作制限位置にある場合（摘み５３がキャップ５１のベース部５１Ａに密着した状態になっている場合）には、摘み５３を把持することができず摘み５３によってサムターンカム３０を回動させることはできないが、摘み５３が操作可能位置にある場合（摘み５３がキャップ５１のベース部５１Ａに対して略垂直に起立した状態になっている場合）には、摘み５３を把持して回転することによって摘み５３によってサムターン３０を回動させることが可能となる。そして、この第１の操作により、スライダー５４が摘み５３と共に回動して起立し、スライダー５４の一端が、連結カム４４の凸部４４Ｅと対向する状態となる（図１９（ｃ）参照）。また、連結カム４４は、コイルスプリング７０によって第１サムターン軸４２から離反する方向に付勢されているため、この状態では、第２サムターン軸４３とは係合が可能であるが、第１サムターン軸４２との係合が不能な位置にある（図１９（ｄ）参照）。
【００８４】
次に、摘み５３を操作可能位置に保持した状態で、コイルスプリング７４によって図１９（ａ）〜（ｃ）に示される「施開錠禁止位置」に保持されているレバー５６を、図２０（ａ）、（ｂ）に示される「施開錠許可位置」までスライドする（第２の操作）。この第２の操作により、連結カム４４がスライダー５４によって第２サムターン軸４３の奥側まで押し込まれ、連結カム４４が第１サムターン軸４２と係合可能な位置に移動する（図２０（ｂ）参照）。
【００８５】
最後に、レバー５６を施開錠許可位置に保持した状態で摘み５３を時計回りに回し、サムターンカム３０を錠前の開錠位置まで回動させることによって錠前の開錠を行う（第３の操作）。
【００８６】
図２１（ａ）〜（ｆ）は、サムターン１０の略示断面図を示したものであり、レバー５６を施開錠許可位置に保持した状態で第１サムターン軸４２と第２サムターン軸４３を回動した様子を模式的に示した図である。
【００８７】
上述の第２の操作が完了してレバー５６が施開錠許可位置まで移動した状態（連結カム４４が第１サムターン軸４２と係合可能な位置に押し込まれた状態）で摘み５３を時計方向に回転した場合、摘み５３→本体５２→連結カム４４→第１サムターン軸４２の順に動力が伝達され、第１サムターン軸４２が時計回りに回動する。
【００８８】
第１サムターン軸４２が回動すると、第２サムターン軸４３の貫通孔４３Ｄに配設されたコイルスプリング６６とコロ６８の作用によって第２サムターン軸４３も第１サムターン軸４２と同じ方向に回動する。そして、第２サムターン軸４３の回動によって第２サムターン軸４３の突出片４３Ｃの間に配設されたコロ６７が移動する。第１サムターン軸４２および第２サムターン軸４３の回動により、コロ６７は、サムターン本体４１の凸部４１Ｈに当接するまで移動を続ける。サムターン本体４１の凸部４１Ｈによってコロ６７の移動が規制されると第２サムターン軸４３は回動できなくなり、第１サムターン軸４２だけが回動を継続する（同図（ｂ）参照）。
【００８９】
そして、同図（ｃ）に示されるように、第１サムターン軸４２が回動を続け、第１サムターン軸４２の曲面凹部４２Ｆがコロ６７の位置まで回動すると、コロ６７は第１サムターン軸４２の曲面凹部４２Ｆ内に退避することが可能となり、第２サムターン軸４３は再び第１サムターン軸４２と共に回動をし始める（同図（ｄ）、（ｅ）参照）。
【００９０】
最終的に、同図（ｆ）に示されるように、第１サムターン軸４２および第２サムターン軸４３は時計回りに９０度回動することができるため、第１サムターン軸４２に保持されたサムターンカム３０を錠前の施錠位置から開錠位置まで回動させることができる。
【００９１】
このように、サムターン１０による錠前の開錠は第１の操作〜第３の操作の３つの操作によって行われる。なお、サムターン１０によって錠前を施錠状態から開錠状態にする例について説明したが、錠前を開錠状態から施錠状態にする場合についても基本的な動作原理は同じである。
【００９２】
一方、上述の第１の操作のみが完了しレバー５６が施開錠禁止位置にある状態（連結カム４４が第２サムターン軸４３と係合可能で、第１サムターン軸４２との係合が不能な位置にある状態）で摘み５３を時計方向に回転した場合、摘み５３→本体５２→連結カム４４→第２サムターン軸４３の順に動力が伝達され、第２サムターン軸４３が時計回りに回動する。
【００９３】
図２２（ａ）、（ｂ）は、サムターン１０の略示断面図を示したものであり、レバー５６を施開錠禁止位置に保持した状態で第１サムターン軸４２と第２サムターン軸４３を回動した様子を模式的に示した図である。
【００９４】
第２サムターン軸４３が回動すると、第２サムターン軸４３の貫通孔４３Ｄに配設されたコイルスプリング６６とコロ６８の作用によって第１サムターン軸４２も第２サムターン軸４３と同じ方向に回動する。そして、第２サムターン軸４３の回動によって第２サムターン軸４３の突出片４３Ｃの間に配設されたコロ６７が移動する。第１サムターン軸４２および第２サムターン軸４３の回動により、コロ６７は、サムターン本体４１の凸部４１Ｈに当接するまで移動を続ける。サムターン本体４１の凸部４１Ｈによってコロ６７の移動が規制されると第２サムターン軸４３は回動できない状態となる（同図（ｂ）参照）。
【００９５】
第１サムターン軸４２は第２サムターン軸４３によって回動されるため、第１サムターン軸４２は第２サムターン軸４３の回動停止と共に停止する。このように、レバー５６が施開錠禁止位置にある場合には、第１サムターン軸４２を９０度回動させることができず、サムターンカム３０を錠前の開錠位置まで回動させることができない。
【００９６】
以上説明したように、本実施形態に係るサムターン１０は、錠前の施錠を行う施錠位置と錠前の開錠を行う開錠位置との間を回動可能なサムターンカム３０と、サムターンカム３０の回動が可能となる操作可能位置、および、サムターンカムの回動が制限される操作制限位置の２つの位置を有する摘み５３と、摘み５３が操作可能位置にある場合に、摘み５３の操作によりサムターンカム３０が開錠位置または施錠位置まで回動されることを許可する施開錠許可位置、および、摘み５３の操作によりサムターンカム３０が開錠位置または施錠位置まで回動されることを禁止する施開錠禁止位置の２つの位置を有するレバー５６と、を有して構成され、摘み５３を操作制限位置から操作可能位置とし、レバー５６を施開錠禁止位置から施開錠許可位置まで移動させ、摘み５３によりサムターンカム３０を施錠位置または開錠位置まで回動させて錠前の施錠または開錠を行うことを特徴とするサムターンである。
【００９７】
このようなサムターン１０によれば、錠前の施錠や開錠を行うためには、摘み５３を操作制限位置から操作可能位置とする第１の操作と、レバー５６を施開錠禁止位置から施開錠許可位置まで移動させる第２の操作と、摘み５３によりサムターンカム３０を施錠位置または開錠位置まで回動させて錠前の施錠または開錠を行う第３の操作の３つの操作を行う必要があるため、工具等による解錠が極めて困難で、不正な解錠を確実に防止することができる一方で、操作が単純であるため、施錠や開錠の操作性が低下することがない。
【００９８】
また、摘み５３を操作可能位置から操作制限位置に付勢する摘み付勢手段（本実施形態ではトーションスプリング７３）と、レバー５６を施開錠許可位置から施開錠禁止位置に付勢するレバー付勢手段（本実施形態ではコイルスプリング７４）と、をさらに有するため、錠前の施錠や開錠を行うためには、摘み付勢手段の付勢力に逆らって摘みを操作し、且つ、レバー付勢手段の付勢力に逆らってレバーを操作する必要があり、不正な解錠をより確実に防止することができる。
【００９９】
また、レバー５６の少なくとも一部が、摘み５３の把持部に形成された凹部（本実施形態ではレバー用スペース）に収容されているため、摘みを把持しながらレバーを操作することが可能となり、サムターンの操作性を高めることができる上に、レバーの出っ張りを減らすことができ、摘みを把持した際にレバーが邪魔になることがない。
【０１００】
なお、本発明のサムターンは、上記実施形態に限定されるものではなく、本発明の要旨を逸脱しない範囲内において種々変更を加え得ることは勿論である。
【図面の簡単な説明】
【０１０１】
【図１】本実施形態に係るサムターンを構成する各部材を分解して示す分解斜視図である。
【図２】同サムターンを扉の室内側に取り付けた様子を示す外観斜視図である。
【図３】（ａ）はサムターン座を前方から見た外観斜視図であり、（ｂ）はサムターン座を後方から見た外観斜視図である。
【図４】（ａ）はサムターンカムの略示平面図であり、（ｂ）は（ａ）の矢視ｂから見た略示側面図であり、（ｃ）は（ａ）の矢視ｃから見た略示正面図である。
【図５】（ａ）はサムターン本体を前方から見た外観斜視図であり、（ｂ）はサムターン本体を後方から見た外観斜視図である。
【図６】（ａ）はサムターン本体をフランジ部側から見た略示正面図であり、（ｂ）は（ａ）のｂ線に沿う略示側断面図であり、（ｃ）は（ｂ）におけるｃ線に沿う略示側断面図であり、同図（ｄ）は（ｂ）におけるｄ線に沿う略示側断面図である。
【図７】（ａ）は第１サムターン軸を前方から見た外観斜視図であり、（ｂ）は第１サムターン軸を後方から見た外観斜視図である。
【図８】（ａ）は第１サムターン軸の略示平面図であり、（ｂ）は（ａ）のｂ線に沿う略示側断面図である。
【図９】（ａ）は第２サムターン軸を前方から見た外観斜視図であり、（ｂ）は第２サムターン軸を後方から見た外観斜視図である。
【図１０】（ａ）は第２サムターン軸の略示平面図であり、（ｂ）は（ａ）のｂ線に沿う略示側断面図であり、（ｃ）は（ｂ）のｃ線に沿う略示側断面図であり、（ｄ）は（ｂ）のｄ線に沿う略示側断面図である。
【図１１】（ａ）は連結カムを前方から見た外観斜視図であり、（ｂ）は連結カムを後方から見た外観斜視図である。
【図１２】（ａ）は連結カムの略示正面図であり、（ｂ）は（ａ）のｂ線に沿う略示側断面図である。
【図１３】（ａ）はキャップを前方から見た外観斜視図であり、（ｂ）はキャップを後方から見た外観斜視図である。
【図１４】（ａ）は本体を前方から見た外観斜視図であり、（ｂ）は本体を後方から見た外観斜視図である。
【図１５】（ａ）は摘みを前方から見た外観斜視図であり、（ｂ）は摘みを後方から見た外観斜視図である。
【図１６】（ａ）はスライダーを前方から見た外観斜視図であり、（ｂ）はスライダーを後方から見た外観斜視図である。
【図１７】（ａ）はレバーを前方から見た外観斜視図であり、（ｂ）はレバーを後方から見た外観斜視図である
【図１８】（ａ）は摘みが操作制限位置にある場合のサムターンの略示正面図であり、（ｂ）は同サムターンの略示平面図であり、（ｃ）は同サムターンの略示断面図であり、（ｄ）は同サムターンの連結カム、第１サムターン軸、第２サムターン軸の位置関係を示した外観斜視図である。
【図１９】（ａ）はレバーが施開錠禁止位置にある場合のサムターンの略示正面図であり、（ｂ）は同サムターンの略示平面図であり、（ｃ）は同サムターンの略示断面図であり、（ｄ）は同サムターンの連結カム、第１サムターン軸、第２サムターン軸の位置関係を示した外観斜視図である。
【図２０】（ａ）はレバーが施開錠許可位置にある場合のサムターンの略示断面図であり、（ｂ）は同サムターンの連結カム、第１サムターン軸、第２サムターン軸の位置関係を示した外観斜視図である。
【図２１】（ａ）〜（ｆ）は、サムターンの略示断面図を示したものであり、レバーを施開錠許可位置に保持した状態で第１サムターン軸と第２サムターン軸を回動した様子を模式的に示した図である。
【図２２】（ａ）、（ｂ）は、サムターンの略示断面図を示したものであり、レバーを施開錠禁止位置に保持した状態で第１サムターン軸と第２サムターン軸を回動した様子を模式的に示した図である。
【符号の説明】
【０１０２】
１０  サムターン
１２  扉
１４  デッドボルト
２０  サムターン座
３０  サムターンカム
４０  駆動部
４１  サムターン本体
４２  第１サムターン軸
４３  第２サムターン軸
４４  連結カム
４５  カバー
５０  操作部
５１  キャップ
５２  本体
５３  摘み
５４  スライダー
５５  摘みカバー
５６  レバー
６２、６６、７０、７４  コイルスプリング
６４、７０  止め輪
６７、６８  コロ
７２  軸
７３  トーションスプリング
【図１】
2008045299.tif 000003
【図２】
2008045299.tif 000004
【図３】
2008045299.tif 000005
【図４】
2008045299.tif 000006
【図５】
2008045299.tif 000007
【図６】
2008045299.tif 000008
【図７】
2008045299.tif 000009
【図８】
2008045299.tif 000010
【図９】
2008045299.tif 000011
【図１０】
2008045299.tif 000012
【図１１】
2008045299.tif 000013
【図１２】
2008045299.tif 000014
【図１３】
2008045299.tif 000015
【図１４】
2008045299.tif 000016
【図１５】
2008045299.tif 000017
【図１６】
2008045299.tif 000018
【図１７】
2008045299.tif 000019
【図１８】
2008045299.tif 000020
【図１９】
2008045299.tif 000021
【図２０】
2008045299.tif 000022
【図２１】
2008045299.tif 000023
【図２２】
2008045299.tif 000024